(57)【要約】【課題】機器において実行可能とされている機能についての設定情報をユーザーが容易に確認可能にする。【解決手段】画像形成装置１は、タッチパネル式の表示部４７３を有する操作部４７と、各機能毎にデフォルト設定及びユーザー設定を記憶する機能設定記憶部１０１と、表示部４７３に各機能に対応するアイコン８１を表示し、ユーザーによる該アイコン８１に対する各種タッチ操作を受け付ける制御部１００とを備える。制御部１００は、アイコン８１上でピンチアウト操作が行われたことを検知すると、機能設定記憶部１０１を参照して当該アイコン８１に対応する機能に関してデフォルト設定からの変更事項を取得し、ピンチアウト操作位置近くの予め定められた位置に、当該変更事項を示すポップアップウィンドウ８２を表示させる。【選択図】図２
2017204189.tif 000002
【特許請求の範囲】
【請求項１】
タッチパネル式の表示部を有する操作部と、
本電子機器が実行可能な各機能別にデフォルト設定、及びユーザーにより当該デフォルト設定から変更された設定内容であるユーザー設定を記憶する機能設定記憶部と、
前記表示部に前記各機能に対応するそれぞれのアイコンを表示し、ユーザーによる該アイコンに対するタッチ操作を検知する制御部とを備え、
前記制御部は、前記各機能に対応する前記アイコンのうち、いずれかの前記アイコンの上でピンチアウト操作が行われたことを検知すると、前記機能設定記憶部を参照して、当該ピンチアウト操作が行われたアイコンに対応する機能に関して前記ユーザー設定を取得し、前記表示部において、当該ピンチアウト操作が行われた位置近くの予め定められた位置に、少なくとも前記デフォルト設定からの変更事項を示すポップアップウィンドウを表示させる電子機器。
【請求項２】
前記制御部は、前記表示部において、前記ピンチアウト操作に係る指の軌跡の傾きに応じて当該ピンチアウト操作位置に対する位置側方側又は他側方側に、前記ポップアップウィンドウを表示させる請求項１に記載の電子機器。
【請求項３】
前記制御部は、前記アイコンの中心線と前記ピンチアウト操作に係る指の軌跡とのなす角に応じた大きさで前記ポップアップウィンドウを前記表示部に表示させる請求項１又は請求項２に記載の電子機器。
【請求項４】
前記ポップアップウィンドウは、前記アイコンに対応する機能の実行を指示するためのスタートボタン画像を含み、
前記制御部は、前記スタートボタン画像上でタッチ操作が行われたことを検知すると、前記機能設定記憶部に記憶された前記デフォルト設定又は前記ユーザー設定に従って、前記アイコンに対応する機能を実行する請求項１乃至請求項３のいずれかに記載の電子機器。
【請求項５】
記録媒体上に画像を形成する画像形成部と、
請求項１乃至請求項４のいずれかに記載の電子機器とを備えた画像形成装置。
【発明の詳細な説明】
【技術分野】
【０００１】
本発明は、電子機器及び画像形成装置に関し、特に、タッチパネル式の表示部を備えた機器において、各機能の設定情報を容易に確認可能にする技術に関する。
【背景技術】
【０００２】
プリンターや複合機等の画像形成装置では、タッチパネル式の表示部を有する例が多く見られる。タッチパネル式の表示部には各機能に対応したアイコンやボタンや各機能の設定情報等が表示される。例えば、下記特許文献１及び特許文献２には、タッチパネル式の表示部を備えた画像形成装置において各機能の設定を表示する技術が開示されている。
【先行技術文献】
【特許文献】
【０００３】
【特許文献１】特開２０１１−１６４８３５号公報
【特許文献２】特開２０１１−１７０６７４号公報
【発明の概要】
【発明が解決しようとする課題】
【０００４】
上記特許文献１及び特許文献２に開示された技術によると、ユーザーはタッチパネル式の表示部を操作して各機能についての設定情報を表示させることができる。しかし、所望の機能についての設定情報を表示部に呼び出すには所定の手順や操作を経なければならず、利便性に欠ける。
【０００５】
本発明は、上記の事情に鑑みなされたものであり、機器において実行可能とされている機能についての設定情報をユーザーが容易に確認可能となるようにすることを目的とする。
【課題を解決するための手段】
【０００６】
本発明の一局面に係る電子機器は、タッチパネル式の表示部を有する操作部と、本電子機器が実行可能な各機能別にデフォルト設定、及びユーザーにより当該デフォルト設定から変更された設定内容であるユーザー設定を記憶する機能設定記憶部と、前記表示部に前記各機能に対応するそれぞれのアイコンを表示し、ユーザーによる該アイコンに対するタッチ操作を検知する制御部とを備え、前記制御部は、前記各機能に対応する前記アイコンのうち、いずれかの前記アイコンの上でピンチアウト操作が行われたことを検知すると、前記機能設定記憶部を参照して、当該ピンチアウト操作が行われたアイコンに対応する機能に関して前記ユーザー設定を取得し、前記表示部において、当該ピンチアウト操作が行われた位置近くの予め定められた位置に、少なくとも前記デフォルト設定からの変更事項を示すポップアップウィンドウを表示させる。
【０００７】
本発明の一局面に係る画像形成装置は、記録媒体上に画像を形成する画像形成部と、上記電子機器とを備えている。
【発明の効果】
【０００８】
本発明によれば、表示部に表示されたアイコン上でピンチアウト操作が行われると、ポップアップウィンドウにより、機器において実行可能な機能についての設定情報が表示されるので、ユーザーは、各機能についての設定情報を容易に確認することができる。
【図面の簡単な説明】
【０００９】
【図１】本発明の一実施形態に係る画像形成装置の外観を示す斜視図である。
【図２】画像形成装置の主要内部構成の一例を示す機能ブロック図である。
【図３】制御部による表示部の表示制御を示すフローチャートである。
【図４】初期画面の表示例を示す図である。
【図５】アイコン中心線と右手ピンチアウト軌跡とのなす角を説明する図である。
【図６】アイコン中心線と左手ピンチアウト軌跡とのなす角を説明する図である。
【図７】ポップアップウィンドウの生成例を示す図である。
【図８】アイコン上において右手でピンチアウト操作が行われたときの表示例を示す図である。
【図９】アイコン上において右手でピンチアウト操作が行われたときの別の表示例を示す図である。
【図１０】アイコン上において左手でピンチアウト操作が行われたときの表示例を示す図である。
【発明を実施するための形態】
【００１０】
以下、本発明の一実施形態に係る電子機器の一例としての画像形成装置について、図面を参照して説明する。図１は、本発明の一実施形態に係る画像形成装置の外観を示す斜視図である。
【００１１】
本発明の一実施形態に係る画像形成装置１は、ファクシミリ機能、コピー機能、プリンター機能、及びスキャナー機能等の複数の機能を兼ね備えた複合機である。図１に示すように、画像形成装置１は、装置本体２と、装置本体２の上方に配置された画像読取部５と、画像読取部５と装置本体２との間に設けられた連結部３とから構成される。
【００１２】
画像形成装置１の外郭を構成する筐体７には、画像形成装置１の様々な機能を実現するための複数の構成機器が収容されている。例えば、筐体７には、画像読取部５、画像形成部１２（図２）、定着部１３（図２）、給紙部３０等が収容されている。
【００１３】
操作部４７は、ユーザーが画像形成装置１を操作したり、文字や数字等の情報を入力したりするためのユーザーインターフェイス装置である。操作部４７は、ユーザーへの操作案内画面や各機能の設定画面等を表示するタッチパネル式の表示部４７３を備えている。各機能とは、コピー機能、スキャン機能、ファクシミリ機能等の画像形成装置１により実行可能な機能である。操作部４７は、表示部４７３に表示されたアイコンやボタンに対するユーザーによるタッチ操作を検知して、タッチ操作の内容に従って、画像形成装置１が有する各機能の詳細項目の設定や、各機能の実行指示を受け付ける。なお、表示部４７３は、タッチパネル機能により、ユーザーによる少なくとも２点によるタッチ操作を検出可能な機能を有する。
【００１４】
次に、画像形成装置１の構成を説明する。図２は画像形成装置１の主要内部構成例を示す機能ブロック図である。
【００１５】
画像形成装置１は、制御ユニット１０を備える。制御ユニット１０は、プロセッサー、ＲＡＭ、ＲＯＭ及び専用のハードウェア回路等から構成される。プロセッサーは、例えば、ＣＰＵ(Central Processing Unit)、ＭＰＵ、ＡＳＩＣ等である。
【００１６】
画像読取部５は、制御ユニット１０による制御の下、光照射部及びＣＣＤセンサー等を有する読取機構を備える。画像読取部５は、光照射部により原稿を照射し、その反射光をＣＣＤセンサーで受光することにより、原稿から画像を読み取る。画像読取部５は、原稿搬送部６により搬送される原稿の画像を、設定された読取サイズで読み取る。
【００１７】
画像処理部３１は、画像読取部５で読み取られた原稿画像を、必要に応じて画像処理する。
【００１８】
画像メモリー３２は、画像読取部５による読取で得られた原稿画像を一時的に記憶したり、画像形成部１２による画像形成の対象となる画像を一時的に保存する領域である。
【００１９】
画像形成部１２は、画像読取部５で読み取られた原稿画像、ネットワーク接続されたコンピューター２００からネットワークインターフェイス部９１を介して受信した印刷データ等の画像形成を行う。
【００２０】
定着部１３は、画像形成部１２の画像形成処理により表面に画像（トナー像）が形成された記録紙を加熱し、熱圧着により当該画像を記録しに定着させる定着処理を行う。
【００２１】
操作部４７は、上述したように、画像形成装置１が実行可能な各種動作及び処理についてユーザーからの指示を受け付ける。操作部４７は、ユーザーへの操作案内等を表示するタッチパネル式の表示部４７３を備えている。
【００２２】
ＨＤＤ９２は、画像読取部５によって読み取られた原稿画像等を記憶する大容量の記憶装置である。
【００２３】
制御ユニット１０は、制御部１００と、機能設定記憶部１０１とを備えている。制御部１００は、画像読取部５、原稿搬送部６、画像処理部３１、画像メモリー３２、画像形成部１２、定着部１３、操作部４７、表示部４７３、ネットワークインターフェイス部９１、及びＨＤＤ（ハードディスクドライブ）９２等と接続され、これら各部の駆動制御を行う。
【００２４】
例えば、制御ユニット１０は、ＨＤＤ９２に記憶されている表示制御プログラムに従って動作することにより、制御部１００及び機能設定記憶部１０１として機能する。
【００２５】
特に、制御部１００は、表示部４７３に、画像形成装置１が有する各機能に対応するアイコンを表示し、ユーザーによる該アイコンに対する各種タッチ操作を検知して受け付ける。例えば、制御部１００は、表示部４７３に表示されたアイコン上で、ユーザーによりピンチアウト操作（親指と人差し指を閉じた状態から広げる動作）が行われたことを検知すると、予め定められた制御動作を行う。当該制御動作については後述する。
【００２６】
機能設定記憶部１０１は、画像形成装置１が有する各機能別に、デフォルト設定及びユーザー設定を記憶する。ユーザー設定とは、ユーザーにより当該デフォルト設定から変更されて作成された設定内容である。例えば、画像形成装置１が有するコピー機能に関して、機能設定記憶部１０１は、用紙選択「自動」、拡大／縮小「１００％」、濃度「ふつう」、両面／分割「片面→片面」、ページ集約「設定しない」等をデフォルト設定として記憶している。ユーザーが操作部４７を通じてデフォルト設定を変更した場合、例えば、拡大／縮小「７０％」、ページ集約「２  ｉｎ  １」を設定した場合、機能設定記憶部１０１はこれらユーザー設定を記憶する。
【００２７】
制御部１００は、機能設定記憶部１０１に記憶されたデフォルト設定及びユーザー設定を参照して、当該デフォルト設定及びユーザー設定に従って、画像形成装置１が有する各機能を実行する。例えば、制御部１００は、コピー機能を実行する場合、機能設定記憶部１０１に上記のような拡大／縮小「７０％」、ページ集約「２  ｉｎ  １」といったユーザー設定が記憶されていれば、制御部１００は、デフォルト設定よりもユーザー設定を優先適用して原稿をページ集約及び縮小してコピーする。
【００２８】
次に、制御部１００による表示部４７３の表示制御について説明する。図３は、制御部１００による表示部４７３の表示制御を示すフローチャートである。
【００２９】
画像形成装置１の電源が投入される、又は、操作部４７における図略のホームボタンが押下されると、制御部１００は、表示部４７３に初期画面を表示させる（Ｓ１）。図４は、初期画面の表示例を示す図である。例えば、制御部１００は、初期画面には、「コピー」、「スキャン」、「ＦＡＸ」、「ユーザーＢＯＸ」、「ＵＳＢメモリー」、「ブラウザー」等の、画像形成装置１が有する各機能を表すアイコン８１，８１，…を表示させる。ユーザーが表示部４７３に表示された任意のアイコン８１にタッチし、制御部１００がタッチパネル機能により当該タッチ操作を検知すると、当該検知したタッチ操作に対応する機能を画像形成装置１に実行させる。
【００３０】
図３へ戻り、初期画面表示後に画像形成装置１はユーザーからの指示待ちの状態に入る。そして、制御部１００は、ユーザーにより表示部４７３へのピンチアウト操作が行われたかの検知を開始する（Ｓ２でＮＯ）。制御部１００は、表示部４７３に表示させている、いずれかのアイコン８１上でピンチアウト操作が行われたことを検知すると（Ｓ２でＹＥＳ）、当該アイコン８１の中心線とピンチアウト操作に係る指の軌跡とのなす角αを計算する。ここで、「いずれかのアイコン８１上でピンチアウト操作が行われた」とは、表示部４７３の表示画面上において、アイコン８１を表示している表示領域を示す座標の範囲内で、ピンチアウト操作を構成する、ユーザーによる同一方向における連続したタッチ操作を、制御部１００が検知した状態をいう。
【００３１】
ここで、右手による操作と左手による操作とではピンチアウト操作に係る指の軌跡が異なる。図５は、アイコン中心線と右手ピンチアウト軌跡とのなす角を説明する図である。図６は、アイコン中心線と左手ピンチアウト軌跡とのなす角を説明する図である。アイコン中心線とは、アイコンを示す画像の幅方向（例えば図５では横方向）における中心部を通る鉛直方向（例えば図５では縦方向）に延びる直線である。
【００３２】
図５を参照して説明すると、ユーザーが右手でピンチアウト操作する場合、表示部４７３におけるアイコン８１上の最初のタッチ位置から、親指は左斜め下方向へ移動し、人差し指は右斜め上方向へ移動する。これとは逆に、ユーザーが左手でピンチアウト操作する場合、図６を参照して説明すると、アイコン８１上のタッチ位置から、親指は右斜め下方向へ移動し、人差し指は左斜め上方向へ移動する。
【００３３】
制御部１００は、タッチパネル機能により得られる情報に基づいて、このときの親指及び人差し指の移動の軌跡からピンチアウト操作に係る指の軌跡を特定する。アイコン中心線は、アイコン８１の上下方向に延びている。そして、これらアイコン中心線及びピンチアウト軌跡がなす角がαとする。すなわち、制御部１００は、表示部４７３の上下方向を基準線として、当該基準線からのピンチアウト操作に係る指の軌跡の傾きを計算することで角αを求める。いま、当該基準線から時計回り方向を正とすると、右手のピンチアウト操作ではαは正値、左手のピンチアウト操作ではαは負値となる。制御部１００は、αの正負を示す符号から、ピンチアウト操作が右手及び左手のいずれで行われたかを判断する。
【００３４】
図３へ戻り、制御部１００は、角αを算出すると（Ｓ３）、機能設定記憶部１０１を参照して、ピンチアウト操作が自身の画像表示領域内で行われたアイコン８１に対応する機能についてのデフォルト設定及びユーザー設定を取得する（Ｓ４）。例えば、コピー機能の場合、制御部１００は、用紙設定、拡大／縮小、濃度、両面／分割、ページ集約等の各デフォルト設定とユーザー設定の内容（設定値）を取得する。
【００３５】
制御部１００は、取得したデフォルト設定及びユーザー設定から、当該機能に関してデフォルト設定から変更があるか否か、すなわち、違いがあるか否かを判断する。例えば、コピー機能において拡大／縮小「７０％」及びページ集約「２  ｉｎ  １」というユーザー設定がされている場合、この内容は、上述したデフォルト設定の内容とは異なっているため、制御部１００は、デフォルト設定から変更ありと判断する。
【００３６】
制御部１００は、デフォルト設定から変更があると判断した場合（Ｓ５でＹＥＳ）、当該変更内容を示すポップアップウィンドウを生成する（Ｓ６）。一方、デフォルト設定から変更がない場合（Ｓ５でＮＯ）、制御部１００は、変更なしを示すポップアップウィンドウを生成する（Ｓ７）。後述するように、制御部１００は、ここで生成したポップアップウィンドウを、表示部４７３におけるピンチアウト操作位置の一側方側又は他側方側、後述する図８〜図１０でいえば、右側又は左側に表示させる。
【００３７】
図７は、ポップアップウィンドウの生成例を示す図である。図７に示した例は、コピー機能のデフォルト設定から変更がある場合に生成されるポップアップウィンドウ８２である。例えば、ユーザー設定におけるデフォルト設定からの変更箇所が、拡大／縮小「７０％」及びページ集約「２  ｉｎ  １」である場合、ポップアップウィンドウ８２において当該設定が示される。
【００３８】
また、制御部１００は、角αに応じた大きさのポップアップウィンドウ８２を生成するようにしてもよい。例えば、制御部１００は、幅がｘ・ｓｉｎ｜α｜、高さがｘ・ｃｏｓ｜α｜のポップアップウィンドウ８２を生成する。ここで、ｘは定数である。すなわち、制御部１００は、生成するポップアップウィンドウ８２〜、｜α｜が０〜１０°程度の場合は、幅狭、縦長の細長い形状とし、｜α｜が４５°程度の場合は、ほぼ正方形とし、｜α｜が０〜１０°程度の場合は、幅広、縦短の細長い形状とする。このように、アイコン中心線とピンチアウト軌跡とのなす角αに応じてポップアップウィンドウ８２の大きさを変化させることで、例えば、対象のアイコン８１が表示部４７３の端に表示されており浅い角度（αが小さい）でピンチアウト操作をせざるを得ない場合にはポップアップウィンドウ８２もそれに合わせて細長くし、対象のアイコン８１が表示部４７３の中央に表示されており標準的な角度（αが±４５°付近）でピンチアウト操作ができる場合にはポップアップウィンドウ８２の面積を大きくするようにする制御部１００による制御が可能になる。
【００３９】
図３へ戻り、制御部１００は、ポップアップウィンドウ８２を生成すると、α＞０の場合には（Ｓ８でＹＥＳ）、右手でピンチアウト操作が行われたと判断して、表示部４７３におけるピンチアウト操作位置の左側にポップアップウィンドウ８２を表示させ（Ｓ９）、α＜０の場合には（Ｓ８でＮＯ）、左手でピンチアウト操作が行われたと判断して、表示部４７３におけるピンチアウト操作位置の右側にポップアップウィンドウ８２を表示させる（Ｓ１０）。すなわち、制御部１００は、表示部４７３において、角αに応じて、ピンチアウト操作位置近くの予め定められた位置に、ポップアップウィンドウ８２を表示させる。制御部１００は、ピンチアウト操作している手で隠れない位置に、ポップアップウィンドウ８２を表示させる。
【００４０】
上記では、制御部１００は、デフォルト設定からの変更事項をポップアップウィンドウ８２により表示させるか（Ｓ６）、変更事項がないことを示すポップアップウィンドウ８２を表示させるようにしているが（Ｓ７）、制御部１００は、Ｓ６では、ユーザー設定の全ての設定内容を表示させてもよいし、Ｓ７では、デフォルト設定の全ての設定内容を表示させてもよい。また、制御部１００は、上記変更事項やユーザー設定の全ての設定内容を表示させる場合に（Ｓ６）、デフォルト設定から変更されていることを示す「変更あり」といったメッセージ画像を生成して、このメッセージ画像も、ポップアップウィンドウ８２内に表示させるようにしてもよい。
【００４１】
図８は、アイコン上において右手でピンチアウト操作が行われたときの表示例を示す図である。制御部１００は、アイコン８１上において右手でのピンチアウト操作を検知すると、ピンチアウト操作位置の左側にポップアップウィンドウ８２を表示させる。本例は、デフォルト設定から変更があるときの表示例である。
【００４２】
ここで、制御部１００は、ポップアップウィンドウ８２にスタートボタン８３を示す画像を含ませて表示させるようにしてもよい。当該スタートボタン８３は、アイコン８１に対応する機能（本例ではコピー機能）の実行指示を受け付けるためのボタン画像である。制御部１００は、ユーザーがスタートボタン８３をタッチ操作したことをタッチパネル機能に基づいて検知すると、機能設定記憶部１０１に記憶されたデフォルト設定又はユーザー設定であって、スタートボタン８３へのタッチ操作を検知した時点で表示部４７３に表示させているポップアップウィンドウ８２に示される設定内容で、アイコン８１に対応する機能を実行する。
【００４３】
例えば、制御部１００が、表示部４７３に、図４に示すポップアップウィンドウ８２を表示させている場合、制御部１００は、デフォルト設定の設定値のうち、拡大／縮小を「７０％」に、ページ集約を「２  ｉｎ  １」に変更して、アイコン８１に対応する機能を実行する。
【００４４】
図９は、アイコン上で右手でピンチアウト操作が行われたときの別の表示例を示す図である。本例は、デフォルト設定から変更がないときの表示例である。なお、この表示時に、制御部１００が、ユーザーがスタートボタン８３をタッチ操作したことを検知すると、デフォルト設定が示す設定値で、アイコン８１に対応する機能を実行する。
【００４５】
図１０は、アイコン上において左手でピンチアウト操作が行われたときの表示例を示す図である。アイコン８１上において左手でピンチアウト操作が行われると、制御部１００は、ピンチアウト操作位置の右側にポップアップウィンドウ８２を表示させる。本例は、デフォルト設定から変更がないときの表示例である。
【００４６】
なお、制御部１００は、ポップアップウィンドウ８２を表示部４７３に表示させてから、内蔵するタイマーにより一定時間経過を計測した後に、スタートボタン８３のタッチ操作、又は図略のスタートキーやホームキー等のハードキーの押下を検知した場合は、表示部４７３によるポップアップウィンドウ８２の表示を中止させるものとしてもよい。
【００４７】
以上、説明したように、本実施形態によると、表示部４７３に表示されたアイコン８１上でユーザーがピンチアウト操作を行うことで、ポップアップウィンドウ８２が表示されて画像形成装置１の各機能の設定情報（画像上でピンチアウト操作が行われたアイコン８１に対応する機能についての設定情報）を容易に確認することができる。更に、右手及び左手のいずれでユーザーがピンチアウト操作を行っても、手で隠れない位置にポップアップウィンドウ８２が表示されるため、ユーザーに対するポップアップウィンドウ８２の視認性を向上させることができる。
【００４８】
なお、本発明は上記実施の形態の構成に限られず種々の変形が可能である。例えば、上記実施形態では、本発明に係る電子機器の一実施形態として画像形成装置を用いて説明しているが、これは一例に過ぎず、本発明に係る電子機器は、タッチパネル機能を有する表示部を備えた、モバイル機器、医療機器、券売機、予約システム等といった機器でもよい。
【００４９】
また、図１乃至図１０を用いて上記実施形態により示した構成及び処理は、本発明の一実施形態に過ぎず、本発明を当該構成及び処理に限定する趣旨ではない。
【符号の説明】
【００５０】
１        画像形成装置
４７      操作部
４７３    表示部
８１      アイコン
８２      ポップアップウィンドウ
８３      スタートボタン
１００    制御部
１０１    機能設定記憶部
【図１】
2017204189.tif 000003
【図２】
2017204189.tif 000004
【図３】
2017204189.tif 000005
【図４】
2017204189.tif 000006
【図５】
2017204189.tif 000007
【図６】
2017204189.tif 000008
【図７】
2017204189.tif 000009
【図８】
2017204189.tif 000010
【図９】
2017204189.tif 000011
【図１０】
2017204189.tif 000012